(57)【要約】      （修正有）【課題】生け花に従来使用されていた剣山に替わって、生け花に際して生け花用の花材を活ける花立て具や、観賞用の花材を支持する花立て具として使用でき、更に、単独で、観賞用のオブジェとなり得る花立て具。【解決手段】支持盤２と、支持盤２から上方向に向かって伸びるように支持盤２の上部に立設されているそれぞれ長手方向に所定の長さを有する複数本の支持棒３とからなる花立て具１。複数本の支持棒３はそれぞれ長手方向に直交する断面に所定の大きさの径を有している棒状体であって、隣接する各支持棒３同士の間に空間部が形成されるように、支持盤２上に各支持棒３が隣接する支持棒３との間に所定の間隔を空けて立設され、隣接する各支持棒３同士の間に形成されている前記空間部が、生け花用あるいは観賞用の花材の根本側の茎部を受け入れ、当該茎部を受け入れた前記花材を支持する挿入支持空間になっている。【選択図】図１
2014171703.tif 000002
【特許請求の範囲】
【請求項１】
支持盤と、当該支持盤から上方向に向かって伸びるように当該支持盤の上部に立設されているそれぞれ長手方向に所定の長さを有する複数本の支持棒とからなり、
前記複数本の支持棒はそれぞれ前記長手方向に直交する断面に所定の大きさの径を有している棒状体であって、隣接する各支持棒同士の間に空間部が形成されるように、前記支持盤上に各支持棒が隣接する支持棒との間に所定の間隔を空けて立設され、
隣接する各支持棒同士の間に形成されている前記空間部が、生け花用あるいは観賞用の花材の根本側の茎部を受け入れ、当該茎部を受け入れた前記花材を支持する挿入支持空間になっている
ことを特徴とする花立て具。
【請求項２】
直線状に延びる複数本の前記支持棒が前記支持盤上に立設されていることを特徴とする請求項１記載の花立て具。
【請求項３】
前記複数本の支持棒はそれぞれ屈曲しつつ前記長手方向に伸びていることを特徴とする請求項１記載の花立て具。
【請求項４】
前記複数本の支持棒はそれぞれ屈曲変形自在な素材からなることを特徴とする請求項２又は３記載の花立て具。
【発明の詳細な説明】
【技術分野】
【０００１】
この発明は、花立て具に関する。特に、従来、生け花に使用されていた剣山に替わって生け花に際して生け花用の花材を活ける花立て具や、観賞用の花材を支持する花立て具として使用でき、更に、このような花立て具として使用されていないときであっても、単独で、観賞用のオブジェとなり得る花立て具に関する。
【背景技術】
【０００２】
従来、生け花の活け込みには剣山が用いられるのが一般的であった。この剣山としては、支持盤の上に、複数本の針が隣接する針との間に一定の間隔を空けて、直立状態に密に立設されているものが一般的であった。
【０００３】
これに対して上述した従来の剣山を使用することなしに、花を立てることのできる花立て具が提案されたこともある（特許文献１）。
【先行技術文献】
【特許文献】
【０００４】
【特許文献１】実用新案登録第３０５０２８３号
【発明の概要】
【発明が解決しようとする課題】
【０００５】
支持盤の上に、複数本の針が隣接する針との間に一定の間隔を空けて、直立状態に密に立設されている従来の剣山に替えて、このような形態・構造の剣山を使用することのない花立て具については従来から提案が行われている（特許文献１）。
【０００６】
しかし、生け花に使用されていた従来の剣山に替わって、生け花に際して生け花用の花材を活ける花立て具や、観賞用の花材を支持する花立て具として使用でき、更に、このような花立て具として使用されていないときであっても、単独で、観賞用のオブジェとなり得る花立て具に関しては従来提案されていなかった。
【０００７】
そこで、本発明は、生け花に使用されていた従来の剣山に替わって生け花に際して生け花用の花材を活ける花立て具や、観賞用の花材を支持する花立て具として使用でき、更に、このような花立て具として使用されていないときであっても、単独で、観賞用のオブジェとなり得る花立て具を提案することを目的にしている。
【課題を解決するための手段】
【０００８】
請求項１記載の発明は、
支持盤と、当該支持盤から上方向に向かって伸びるように当該支持盤の上部に立設されているそれぞれ長手方向に所定の長さを有する複数本の支持棒とからなり、
前記複数本の支持棒はそれぞれ前記長手方向に直交する断面に所定の大きさの径を有している棒状体であって、隣接する各支持棒同士の間に空間部が形成されるように、前記支持盤上に各支持棒が隣接する支持棒との間に所定の間隔を空けて立設され、
隣接する各支持棒同士の間に形成されている前記空間部が、生け花用あるいは観賞用の花材の根本側の茎部を受け入れ、当該茎部を受け入れた前記花材を支持する挿入支持空間になっている
ことを特徴とする花立て具
である。
【０００９】
請求項２記載の発明は、
直線状に延びる複数本の前記支持棒が前記支持盤上に立設されていることを特徴とする請求項１記載の花立て具
である。
【００１０】
請求項３記載の発明は、
前記複数本の支持棒はそれぞれ屈曲しつつ前記長手方向に伸びていることを特徴とする請求項１記載の花立て具
である。
【００１１】
請求項４記載の発明は、
前記複数本の支持棒はそれぞれ屈曲変形自在な素材からなることを特徴とする請求項２又は３記載の花立て具
である。
【発明の効果】
【００１２】
この発明によれば、生け花に使用されていた従来の剣山に替わって、生け花に際して生け花用の花材を活ける花立て具や、観賞用の花材を支持する花立て具として使用でき、更に、このような花立て具として使用されていないときであっても、単独で、観賞用のオブジェとなり得る花立て具を提供することができる。
【図面の簡単な説明】
【００１３】
【図１】この発明の好ましい実施形態の一例を表す図であって、（ａ）は斜視図、（ｂ）は平面図。
【図２】この発明の他の好ましい実施形態を表す斜視図。
【図３】この発明の更に他の好ましい実施形態を表す斜視図。
【発明を実施するための形態】
【００１４】
以下、添付図面を参照して本発明の好ましい実施形態を説明する。
【００１５】
本発明の花立て具１は、支持盤２と、複数本の支持棒３ａ、３ｂ、３ｃ、・・、３ｅ、・・・、３ｋ、３ｌ（以下、総称して「支持棒３」と表すことがある）とからで構成されている。
【００１６】
支持棒３は、図１図示のように、支持盤２から上方向に向かって伸びるように支持盤２の上部に立設されている。
【００１７】
支持棒３は、それぞれ長手方向（図１（ａ）における上下方向）に所定の長さを備えていて、それぞれ前記長手方向に直交する断面に所定の大きさの径を有している棒状体である（図１（ａ）、（ｂ））。
【００１８】
隣接する各支持棒３同士の間には、図１（ａ）、（ｂ）において、符号４ａ、４ｂ、４ｃ、４ｄ、４ｅなどで示している箇所のように、空間部が形成されている。このような空間部が形成されるように、支持盤２上に各支持棒３ａ、３ｂ、３ｃ、・・、３ｅ、・・・、３ｋ、３ｌが、隣接する支持棒３との間に所定の間隔を空けて立設されている（図１（ａ）、（ｂ））。
【００１９】
この隣接する各支持棒３同士の間に形成されている空間部が、生け花用あるいは観賞用の花材の根本側の茎部を受け入れ、当該茎部を受け入れた前記花材を支持する挿入支持空間になっている。
【００２０】
すなわち、図１（ａ）、（ｂ）図示のように、各支持棒３ａ、３ｂ、３ｃ、・・、３ｅ、・・・、３ｋ、３ｌは、それぞれ、長手方向に直交する断面に所定の大きさの径を有している棒状体であることから、符号４ａ、４ｂ、４ｃ、４ｄ、４ｅなどで示している箇所のように形成されている、隣接する支持棒３との間の空間部に、生け花用あるいは観賞用の花材の根本側の茎部を挿入したときに、隣接する各支持棒３によって、このように茎部が挿入されてきた前記花材を支持することができる。
【００２１】
そこで、符号４ａ、４ｂ、４ｃ、４ｄ、４ｅなどで示されている箇所のように形成されている、隣接する支持棒３との間の挿入支持空間部に、生け花用の花材の根本側の茎部や、観賞用の花材の根本側の茎部を、様々な方向から挿入し、支持させて花立て具１を使用することができる。
【００２２】
この花立て具１は、従来の剣山と同じように、水を張った水盤などの中に支持盤２を置き、前述したように、符号４ａ、４ｂ、４ｃ、４ｄ、４ｅなどで示している箇所のように形成されている、隣接する支持棒３との間の挿入支持空間部に、生け花用の花材の根本側の茎部や、観賞用の花材の根本側の茎部を、様々な方向から挿入して使用することができる。
【００２３】
あるいは、テーブルや、室内の棚の上などに、支持盤２を置き、前述したように、符号４ａ、４ｂ、４ｃ、４ｄ、４ｅなどで示している箇所のように形成されている、隣接する支持棒３との間の挿入支持空間部に、生け花用の花材の根本側の茎部や、観賞用の花材の根本側の茎部を、様々な方向から挿入して使用することができる。
【００２４】
また、花立て具として使用しないときには、図１図示の花立て具１を、テーブルや、室内の棚の上などに置き、観賞用のオブジェとして楽しむこともできる。
【００２５】
この場合、図１図示の実施形態では、支持棒３の長手方向長さをいずれも同一の長さにし、長手方向に直交する断面の径の大きさもそれぞれ同一にしているが、観賞用のオブジェにすることを考慮して、それぞれ異なる長さの棒状体としたり、それぞれ異なる断面の径の大きさ、断面形状を有する棒状体にするなどして鑑賞物としての価値を高めることができる。
【００２６】
また、支持盤２の形態を平面視で円形の円盤状にしていたが、平面視三角形、平面視四角形、等々の種々の形状、形態にして、オブジェとしての観賞用の価値を高めることもできる。
【００２７】
上述した、図１（ａ）、（ｂ）図示の実施形態において、支持棒３は直線状に長手方向に延びる棒状体としていた。
【００２８】
これに替えて、図２図示のように、支持棒１３ａ、１３ｂ、１３ｃ、１３ｄ、・・・・、１３ｊ、・・、１３ｌ（以下、総称して「支持棒１３」と表すことがある）は、支持盤１２上に立設されている、それぞれ、屈曲しつつ長手方向（図２における上下方向）に伸びている棒状体にすることもできる。
【００２９】
このようにすれば、図２において、符号１４ａ、１４ｂ、１４ｃ、１４ｄなどで示している箇所のように、隣接する各支持棒１３同士の間に形成されている挿入支持空間部の形状が種々に異なった複雑なものとなり、観賞用のオブジェとしての価値が一層高まる。
【００３０】
また、前記のように種々に異なった複雑な形状となる、隣接する各支持棒１３同士の間に形成されている挿入支持空間部に対して、外部から、生け花用の花材の根本側の茎部や、観賞用の花材の根本側の茎部を挿入する方向も種々、複雑な方向にすることができ、生け花用の花立て具あるいは、観賞用の花を立てる、あるいは支持する、花立て具としての花立て具１１の有用性を高めることができる。
【００３１】
図３図示の本発明の花立て具２１は、支持盤２２上に立設されている支持棒２３ａ、２３ｂ、２３ｃ、２３ｄ、・・・・、２３ｊ、２３ｋ、２３ｌ（以下、総称して「支持棒２３」と表すことがある）を、屈曲変形自在な素材から形成し、各支持棒２３を任意に屈曲させた状態の一例を表すものである。
【００３２】
屈曲変形自在な素材としては、形状記憶樹脂や、形状記憶合金などを使用することができる。
【００３３】
屈曲変形自在であるので、図３において、符号２４ａ、２４ｂ、２４ｃなどで示している箇所のように、隣接する各支持棒２３同士の間に形成されている挿入支持空間部の形状を、任意に、種々に異なった、複雑なものにして、観賞用のオブジェとしての価値を高めることができる。
【００３４】
また、前記のように種々に異なった複雑な形状となる、隣接する各支持棒２３同士の間に形成されている挿入支持空間部に対して、外部から、生け花用の花材の根本側の茎部や、観賞用の花材の根本側の茎部を挿入する方向も種々、複雑な方向にすることができ、生け花用の花立て具あるいは、観賞用の花を立てる、あるいは支持する、花立て具としての花立て具２１の有用性を高めることができる。
【００３５】
以上のように、本発明の花立て具１、１１、２１は、複数本の針が隣接する針との間に一定の間隔を空けて、直立状態に密に立設されている形態・構造の従来の剣山に替えて、生け花に際して生け花用の花材を活ける花立て具や、観賞用の花材を支持する花立て具として使用でき、更に、このような花立て具として使用されていないときであっても、単独で、観賞用のオブジェとなり得るものであるので、いわば、オブジェ剣山と称されるものである。
【００３６】
支持盤２、１２、２２から上方向に向かって伸びるように支持盤２、１２、２２の上部に立設されている、それぞれ長手方向に所定の長さを有する複数本の支持棒３、１３、２３が、それぞれ長手方向に直交する断面に所定の大きさの径を有している棒状体からなり、このように所定の大きさの径で規定される所定の太さを有する支持棒３、１３、２３の隣接する各支持棒３、１３、２３同士の間に挿入支持空間部が形成される。これにより、当該挿入支持空間部が外部に向かう方向（すなわち、生け花用の花材の根本側の茎部や、観賞用の花材の根本側の茎部を、外部から挿入する方向）が複数の異なる方向を向くものとなる。また、前記挿入支持空間部の形状としても複数の異なる形状を有するものが形成されるようになる。
【００３７】
そして、前記挿入支持空間部は、隣接している、それぞれ、所定の大きさの径で規定される所定の太さを有する支持棒３、１３、２３に囲まれて形成されていることから、前記挿入支持空間部に根本側の茎部が挿入されてきた花材を、前記挿入支持空間部を形成する、隣接している、それぞれ、所定の大きさの径で規定される所定の太さを有する支持棒３、１３、２３によって支持、固定することができる。
【００３８】
また、花立て具１、１１、２１を構成する、長手方向に直交する断面における所定の大きさの径で規定される所定の太さを有する支持棒３、１３、２３が、それぞれ、長手方向に所定の長さを有して、支持盤２、１２、２２から上方向に向かって伸びるように支持盤２、１２、２２の上部に立設されていて、前記挿入支持空間部が外部に向かう方向（すなわち、生け花用の花材の根本側の茎部や、観賞用の花材の根本側の茎部を、外部から挿入する方向）や、前記挿入支持空間部の形状が複数の異なるものとなっていることから、生け花用の花材や、観賞用の花材を固定、支持しているときはもちろん、花材を固定、支持していない状態でも、花立て具１、１１、２１それ自身が、オブジェとして室内などに飾ることのできる装飾品になっている。
【００３９】
これによって、本発明の花立て具１、１１、２１は、生け花に際して生け花用の花材を活ける花立て具や、観賞用の花材を支持する花立て具として使用される場合にも、あるいは、このような花立て具として使用されていない場合にも、美的な観点から優れた効果を発揮できる花立て具となる。
【００４０】
以上、添付図面を参照して本発明の好ましい実施形態を説明したが、本発明はかかる実施形態に限定されるものではなく、特許請求の範囲の記載から把握される技術的範囲において種々の形態に変更可能である。
【産業上の利用可能性】
【００４１】
支持盤の上に、複数本の針が隣接する針との間に一定の間隔を空けて、直立状態に密に立設されている従来の剣山は、生け花用の花材の茎部を前記針に突き刺して、いわば、強制的に、花を固定させる器具であった。針を使用せずに、異なる方向を向いて設けられている複数個の穴を備えている部材（例えば、スポンジ部材）の前記穴に生け花用の花材や、観賞用の花材の茎部を挿入する花立て具もあったが、これも、前記穴によって、いわば、強制的に、花を固定させる器具であった。
【００４２】
また、これまでの生け花においては、花が主役であって、剣山は、あくまでも花を固定するための道具として、目立たない存在であることが求められていた。
【００４３】
これに対して、本願発明の花立て具は、生け花用の花材や、観賞用の花材を固定、支持する器具である以前に、花材を活けなくても、花立て具それ自身が、オブジェとして室内などに飾ることのできる装飾品になっている。
【００４４】
この意味で、本願発明の花立て具は、いわば、オブジェ剣山と言い得るものである。
【００４５】
オブジェ剣山と言い得る本願発明の花立て具を使用することにより、花を形よく固定するという従来の生け花のスタイルにとどまらず、単独で装飾品たり得る本願発明の花立て具（オブジェ剣山）と花とを一体化、あるいは調和させ、これらのコラボレーションの妙を楽しむことができるという、従来になかった、まったく新しい生け花の手法を提案することができるものである。
【符号の説明】
【００４６】
１  花立て具
２  支持盤
３（３ａ、３ｂ、・・・、３ｌ）  支持棒
４ａ、・・・、４ｅ  隣接する支持棒同士の間で挿入支持空間部が形成される箇所
１１  花立て具
１２  支持盤
１３（１３ａ、・・・、１３ｌ）  支持棒
１４ａ、・・・、１４ｄ  隣接する支持棒同士の間で挿入支持空間部が形成される箇所
２１  花立て具
２２  支持盤
２３（２３ａ、・・・、２３ｌ）  支持棒
２４ａ、・・・、２４ｃ  隣接する支持棒同士の間で挿入支持空間部が形成される箇所
【図１】
2014171703.tif 000003
【図２】
2014171703.tif 000004
【図３】
2014171703.tif 000005
【手続補正書】
【提出日】平成25年7月11日(2013.7.11)
【手続補正１】
【補正対象書類名】特許請求の範囲
【補正対象項目名】全文
【補正方法】変更
【補正の内容】
【特許請求の範囲】
【請求項１】
支持盤と、当該支持盤から上方向に向かって伸びるように当該支持盤の上部に立設されているそれぞれ長手方向に所定の長さを有する複数本の支持棒とからなり、
前記複数本の支持棒はそれぞれ前記長手方向に直交する断面に所定の大きさの径を有している棒状体であって、隣接する各支持棒同士の間に空間部が形成されるように、前記支持盤上に各支持棒が隣接する支持棒との間に所定の間隔を空けて立設され、
隣接する各支持棒同士の間に形成されている前記空間部が、生け花用あるいは観賞用の花材の根本側の茎部を受け入れ、当該茎部を受け入れた前記花材を支持する挿入支持空間になっており、
前記挿入支持空間は、前記複数本の支持棒によって複数形成され、当該複数形成される挿入支持空間は、複数の異なる方向から挿入される前記茎部を支持する
ことを特徴とする花立て具。
【請求項２】
前記複数本の支持棒は、それぞれ異なる長さで、それぞれ異なる断面の径の大きさ、断面形状を有していることを特徴とする請求項１記載の花立て具。
【請求項３】
前記複数の挿入支持空間の形状の中には、他の前記挿入支持空間の形状と異なる形状を呈するものが存在していることを特徴とする請求項１又は２記載の花立て具。
【請求項４】
前記複数本の支持棒はそれぞれ屈曲しつつ前記長手方向に伸びていることを特徴とする請求項１乃至３のいずれか一項記載の花立て具。
【請求項５】
前記複数本の支持棒はそれぞれ屈曲変形自在な素材からなることを特徴とする請求項１乃至４のいずれか一項記載の花立て具。
【手続補正２】
【補正対象書類名】明細書
【補正対象項目名】０００８
【補正方法】変更
【補正の内容】
【０００８】
請求項１記載の発明は、
支持盤と、当該支持盤から上方向に向かって伸びるように当該支持盤の上部に立設されているそれぞれ長手方向に所定の長さを有する複数本の支持棒とからなり、
前記複数本の支持棒はそれぞれ前記長手方向に直交する断面に所定の大きさの径を有している棒状体であって、隣接する各支持棒同士の間に空間部が形成されるように、前記支持盤上に各支持棒が隣接する支持棒との間に所定の間隔を空けて立設され、
隣接する各支持棒同士の間に形成されている前記空間部が、生け花用あるいは観賞用の花材の根本側の茎部を受け入れ、当該茎部を受け入れた前記花材を支持する挿入支持空間になっており、
前記挿入支持空間は、前記複数本の支持棒によって複数形成され、当該複数形成される挿入支持空間は、複数の異なる方向から挿入される前記茎部を支持する
ことを特徴とする花立て具
である。
【手続補正３】
【補正対象書類名】明細書
【補正対象項目名】０００９
【補正方法】変更
【補正の内容】
【０００９】
請求項２記載の発明は、
前記複数本の支持棒は、それぞれ異なる長さで、それぞれ異なる断面の径の大きさ、断面形状を有していることを特徴とする請求項１記載の花立て具
である。
【手続補正４】
【補正対象書類名】明細書
【補正対象項目名】００１０
【補正方法】変更
【補正の内容】
【００１０】
請求項３記載の発明は、  
前記複数の挿入支持空間の形状の中には、他の前記挿入支持空間の形状と異なる形状を呈するものが存在していることを特徴とする請求項１又は２記載の花立て具
である。
【手続補正５】
【補正対象書類名】明細書
【補正対象項目名】００１１
【補正方法】変更
【補正の内容】
【００１１】
請求項４記載の発明は、
前記複数本の支持棒はそれぞれ屈曲しつつ前記長手方向に伸びていることを特徴とする請求項１乃至３のいずれか一項記載の花立て具
である。
請求項５記載の発明は、
前記複数本の支持棒はそれぞれ屈曲変形自在な素材からなることを特徴とする請求項１乃至４のいずれか一項記載の花立て具
である。